【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
第１支持構造と第２支持構造の間において医療装置を移送する方法であって、
第２支持構造の取付具の近傍に第１支持構造の取付具を配置するステップと、
医療装置に装着された支柱を、第１方向において、第２支持構造の取付具のレセプタクルの軸方向の開口部に移動するステップであって、前記軸方向の開口部はテーパー状に形成され、支柱は、該支柱の長手方向軸に沿って傾斜する第１及び第２のテーパー化セグメントを備え、前記支柱が第２支持構造の取付具のレセプタクル内に移動する際に、前記支柱が第１支持構造の取付具のレセプタクル内において保持され、前記第１のテーパー化セグメントの外側表面が前記レセプタクルの内側表面に楔留めされる、ステップと、
支柱が第２支持構造の取付具のレセプタクル内に移動した後に、第２支持構造の取付具を第２方向において移動するステップであって、第２方向は、第１方向に略直交している、ステップと、
を有し、
第２支持構造の取付具を第２方向において移動するステップは、第１支持構造を支柱及び支柱に装着された医療装置から分離することができるように、支柱の前記第２のテーパー化セグメントの周りにおける第２支持構造の取付具のレセプタクルの嵌合を締め付け、且つ、支柱の前記第１のテーパー化セグメントの周りにおける第１支持構造の取付具のレセプタクルの嵌合を緩めることを特徴とする方法。
【請求項２】
第２支持構造の取付具との関係における第２方向における支柱の運動を防止するべく、第２支持構造の取付具のレセプタクル内において支柱を固定するステップを更に有することを特徴とする請求項１に記載の方法。
【請求項３】
第２支持構造の取付具のレセプタクル内において支柱を固定するステップは、第２支持構造の取付具に対して支柱上のナットを締め付けるステップを有することを特徴とする請求項２に記載の方法。
【請求項４】
第２方向において第２支持構造の取付具を移動するステップは、
レセプタクル内において支柱を固定する前に、支柱の前記第２のテーパー化セグメントの周りにおけるレセプタクルの嵌合を締め付けるべく、第２方向において第１距離にわたって第２支持構造の取付具を移動するステップと、
支柱の前記第１のテーパー化セグメントの周りにおける第１支持構造の取付具のレセプタクルの嵌合を緩めるべく、更に第２方向において第２距離にわたって第２支持構造の取付具を移動するステップと、
を有することを特徴とする請求項２に記載の方法。
【請求項５】
第１支持構造はカートを有し、第１及び第２支持構造の取付具を配置するステップは、カートを第２支持構造の近傍に転動させるステップを有することを特徴とする請求項１に記載の方法。
【請求項６】
第２支持構造は患者テーブルのレールを有することを特徴とする請求項５に記載の方法。
【請求項７】
第１及び第２支持構造の取付具を配置するステップは、第１支持構造の取付具のレセプタクル内の開口部が第２支持構造の取付具のレセプタクル内の開口部の高さからオフセットされた高さに位置するように、第１及び第２支持構造のいずれか又は両方の取付具を第２方向に略平行な方向に移動するステップを有することを特徴とする請求項１に記載の方法。
【請求項８】
第１方向は水平方向であることを特徴とする請求項１に記載の方法。
【請求項９】
第２方向は垂直方向であることを特徴とする請求項１に記載の方法。
【請求項１０】
支柱の第１移送セグメントが、第２構造の取付具の前記レセプタクル内に留まりつつ、第１支持構造の取付具のレセプタクルの前記軸方向の開口部から出るように、第１支持構造の取付具を第１方向とは反対の方向に移動することにより、第１支持構造を支柱及び該支柱に装着された医療装置から分離するステップを更に有することを特徴とする請求項１に記載の方法。
【請求項１１】
支柱の前記第１移送セグメントが第１支持構造の取付具のレセプタクルの軸方向の開口部に進入するように、第１支持構造の取付具を第１方向において移動して戻すステップと、
支柱が第１支持構造の取付具のレセプタクルに進入した後に、第２支持構造の取付具を第３方向において移動するステップであって、第３方向は第２方向の反対である、ステップと、
を更に有し、
第２支持構造の取付具を第３方向において移動するステップは、第１支持構造の取付具が支柱及び該支柱に装着された医療装置を第２支持構造から分離することができるように、支柱の第２移送セグメントの周りにおける第２支持構造の取付具のレセプタクルの嵌合を緩め、且つ、支柱の前記第１移送セグメントの周りにおける第１支持構造の取付具のレセプタクルの嵌合を強くすることを特徴とする請求項１０に記載の方法。
【請求項１２】
第２方向における第２支持構造の取付具との関係における支柱の移動を防止するべく、支柱及び該支柱に装着された医療装置から第１支持構造を分離する前に第２支持構造の取付具のレセプタクル内において支柱を固定するステップと、
第１方向とは反対の方向において第１支持構造の取付具を移動する前に、第２支持構造の取付具のレセプタクル内における支柱の固定を解放するステップと、
を更に有することを特徴とする請求項１１に記載の方法。
【請求項１３】
第２支持構造の取付具のレセプタクル内において支柱を固定するステップは、第２支持構造の取付具に対して支柱上のナットを締め付けるステップを有することを特徴とする請求項１２に記載の方法。
【請求項１４】
第３方向において第２支持構造の取付具を移動するステップは、
第２支持構造の取付具のレセプタクル内における支柱の固定を解放する前に、支柱の前記第２移送セグメントの周りにおける第２支持構造の取付具のレセプタクルの嵌合を緩めるべく、第３方向において第１距離にわたって第２支持構造の取付具を移動するステップと、
支柱の前記第１移送セグメントの周りにおける第１支持構造の取付具のレセプタクルの嵌合を強くするべく、更に第３方向において第２距離にわたって第２支持構造の取付具を移動するステップと、
を有することを特徴とする請求項１２に記載の方法。
【請求項１５】
第１方向は水平方向であることを特徴とする請求項１１に記載の方法。
【請求項１６】
第２及び第３方向は垂直方向であることを特徴とする請求項１１に記載の方法。
【請求項１７】
第１支持構造と第２支持構造の間において医療装置を移送するのに有用なシステムであって、
システムは細長い移送用の支柱を有し、
支柱は、
医療装置に対する着脱自在の装着のために適合された第１端部と、
第１直径の部分から第２直径の部分まで支柱の長手方向軸に沿ってテーパー化された第１テーパー化セグメントであって、第１直径の部分は、第２直径の部分よりも大きく、且つ、第２直径の分よりも第１端部に近接して配置されており、且つ、第２直径の部分が、第１支持構造の取付レセプタクルの半径方向の開口部を通じて第１支持構造の取付レセプタクル内に軸方向において移動すると、第１テーパー化セグメントの外側表面が第１支持構造の取付レセプタクルの内側表面に対して楔留めされるように構成された第１テーパー化セグメントと、
第３直径の部分から第４直径の部分まで長手方向軸に沿ってテーパー化された第２テーパー化セグメントであって、第３直径の部分は、第４直径の部分よりも大きく、且つ、第４直径の部分よりも第１端部に近接して配置されており、且つ、第４直径の部分が第２支持構造の取付レセプタクルの半径方向の開口部を通じて第２支持構造の取付レセプタクル内に軸方向に移動すると、第２テーパー化セグメントの外側表面が第２支持構造の取付レセプタクルの内側表面に対して楔留めされるように構成された第２テーパー化セグメントと、
第１及び第２テーパー化セグメントの間に延在すると共に第１及び第３直径を下回る直径を有する第１移送セグメントであって、第１支持構造の取付レセプタクルの軸方向の開口部を通じて第１支持構造の取付レセプタクル内に且つこれから外に自由に移動するべくサイズ設定された第１移送セグメントと、
を有することを特徴とするシステム。
【請求項１８】
支柱は、
第２端部と、
第２テーパー化セグメントと第２端部の間に延在すると共に第１及び第３直径を下回る直径を有する第２移送セグメントであって、第２支持構造の取付レセプタクルの軸方向の開口部を通じて第２支持構造の取付レセプタクル内に且つこれから外に自由に運動するべくサイズ設定された第２移送セグメントと、
を更に有することを特徴とする請求項１７に記載のシステム。
【請求項１９】
支柱は固定メカニズムを更に有し、固定メカニズムは、第２テーパー化セグメントの外側表面が第２支持構造の取付レセプタクルの内側表面に対して楔留めされた際に、第２支持構造の取付レセプタクルとの関係における第２テーパー化セグメントの更なる軸方向の移動を防止するべく、固定メカニズムを起動することができるように第２端部の近傍に配置されていることを特徴とする請求項１８に記載のシステム。
【請求項２０】
固定メカニズムは、ナットタイプの留め具と、噛合する一組のねじ山と、を有することを特徴とする請求項１９に記載のシステム。
【請求項２１】
支柱は、第５直径の部分から第６直径の部分まで長手方向軸に沿ってテーパー化された第３テーパー化セグメントを更に有し、第５直径の部分は、第６直径の部分より小さく、且つ、支柱の第１端部と一致していることを特徴とする請求項１７に記載のシステム。
【請求項２２】
第１支持構造に対する着脱自在の装着のために適合可能な取付具を更に有し、取付具は、第１支持構造に対して装着された際に、第１支持構造の取付レセプタクルを形成することを特徴とする請求項１７に記載のシステム。
【請求項２３】
第１支持構造の取付レセプタクルの内側表面は、第１支持構造の取付レセプタクルの半径方向の開口部における大きな直径から第１支持構造の取付レセプタクル内の小さな直径までテーパー化されていることを特徴とする請求項２２に記載のシステム。
【請求項２４】
第２支持構造への着脱自在の装着のために適合可能な取付具を更に有し、取付具は、第２支持構造に対して装着された際に、第２支持構造の取付レセプタクルを形成することを特徴とする請求項１７に記載のシステム。
【請求項２５】
第２支持構造の取付レセプタクルの内側表面は、第２支持構造の取付レセプタクルの半径方向の開口部における大きな直径から第２支持構造の取付レセプタクル内の小さな直径までテーパー化されていることを特徴とする請求項２４に記載のシステム。
【請求項２６】
第２支持構造の取付レセプタクルは軸方向の開口部を含み、
支柱は、第２端部と、第２移送セグメントと、を更に有し、且つ、
第２移送セグメントは、第２テーパー化セグメントと第２端部の間に延在し、且つ、第１及び第３直径の部分より小さい直径を有し、第２移送セグメントは、第２支持構造の取付レセプタクルの軸方向の開口部を通じて第２支持構造の取付レセプタクル内に、且つ、これから外に自由に移動するべくサイズ設定されていることを特徴とする請求項２４に記載のシステム。
【請求項２７】
第２支持構造は患者テーブルのレールを有することを特徴とする請求項２４に記載のシステム。
【請求項２８】
第１支持構造への着脱自在の装着のために適合可能な第１取付具であって、第１支持構造に対して装着された際に、第１支持構造の取付レセプタクルを形成する第１取付具と、
第２支持構造への着脱自在の装着のために適合可能な第２取付具であって、第２支持構造に対して装着された際に、第２支持構造の取付レセプタクルを形成する第２取付具と、
を更に有することを特徴とする請求項１７に記載のシステム。
【請求項２９】
医療装置と、該医療装置に装着されると共に医療装置から延在する細長い移送用の支柱と、を有する医療システムであって、
細長い移送用の支柱は、
第１直径の部分から第２直径の部分まで長手方向軸に沿ってテーパー化された第１テーパー化セグメントであって、第１直径の部分は、第２直径の部分より大きく、且つ、第２直径の部分よりも医療装置に近接して配置されており、且つ、第２直径の部分が第１構造の取付レセプタクルの半径方向の開口部を通じて第１構造の取付レセプタクル内に軸方向に移動すると、第１テーパー化セグメントの外側表面が医療装置を支持する第１構造の取付レセプタクルの内側表面に対して楔留めされるように構成された第１テーパー化セグメントと、
第３直径の部分から第４直径の部分まで長手方向軸に沿ってテーパー化された第２テーパー化セグメントであって、第３直径の部分は、第４直径の部分を上回り、且つ、第４直径の直径よりも第１テーパー化セグメントに近接して配置されており、且つ、第４直径の部分が第２構造の取付レセプタクルの半径方向の開口部を通じて第２構造の取付レセプタクル内に軸方向に移動すると、第２テーパー化セグメントの外側表面が医療装置を支持する第２構造の取付レセプタクルの内側表面に対して楔留めされるように構成された第２テーパー化セグメントと、
第１及び第２テーパー化セグメントの間に延在し、且つ、第１及び第３直径の部分を下回る直径を有する第１移送セグメントであって、第１及び第２構造の支持の間における医療装置の移送のために、第１構造の取付レセプタクルの軸方向の開口部を通じて第１構造の取付レセプタクル内に且つこれから外に自由に移動するべくサイズ設定された第１移送セグメントと、
を有することを特徴とする医療システム。
【請求項３０】
細長い移送用の支柱は、
端部と、
第２テーパー化セグメントと端部の間に延在し、且つ、第１及び第３直径の部分よりも小さい直径を有する第２移送セグメントであって、第１及び第２構造の支持の間における医療装置の移送のために、第２構造の取付レセプタクルの軸方向の開口部を通じて第２構造の取付レセプタクル内に且つこれから外に自由に移動するべくサイズ設定された第２移送セグメントと、
を更に有することを特徴とする請求項２９記載の医療システム。
【請求項３１】
細長い移送支柱は固定メカニズムを更に有し、該固定メカニズムは、第２テーパー化セグメントの外側表面が第２構造の取付レセプタクルの内側表面に対して楔留めされた際に、第２構造の取付レセプタクルとの関係における第２テーパー化セグメントの更なる軸方向の移動を防止するべく、固定メカニズムを起動することができるように端部の近傍に配置されていることを特徴とする請求項３０に記載の医療システム。
【請求項３２】
固定メカニズムは、ナットタイプの留め具と、噛合する一組のねじ山と、を有することを特徴とする請求項３１に記載の医療システム。
【請求項３３】
第１構造への着脱自在の装着のために適合可能な取付具を更に有し、取付具は、第１構造に対して装着された際に、第１構造の取付レセプタクルを形成することを特徴とする請求項２９に記載の医療システム。
【請求項３４】
第１構造の取付レセプタクルは、第１構造の取付レセプタクルの半径方向の開口部における大きな直径の部分から第１構造の取付レセプタクル内の小さな直径の部分までテーパー化されていることを特徴とする請求項３３に記載の医療システム。
【請求項３５】
第２構造への着脱自在の装着ために適合可能な取付具を更に有し、該取付具は第２構造に対して装着された際に、第２構造の取付レセプタクルを形成することを特徴とする請求項２９に記載の医療システム。
【請求項３６】
第２構造の取付レセプタクルは、第２構造の取付レセプタクルの半径方向の開口部における大きな直径の部分から第２構造の取付レセプタクル内の小さな直径の部分までテーパー化されていることを特徴とする請求項３５に記載の医療システム。
【請求項３７】
第２構造の取付レセプタクルは軸方向の開口部を含み、
支柱は、端部と、第２移送セグメントと、を更に有し、且つ、
第２移送セグメントは、第２テーパー化セグメントと端部の間に延在し、且つ、第１及び第３直径の部分より小さい直径を有し、第２移送セグメントは、第１及び第２構造の支持の間における医療装置の移送のために、第２構造の取付レセプタクルの軸方向の開口部を通じて第２構造の取付レセプタクル内に且つこれらから外に自由に移動するべくサイズ設定されていることを特徴とする請求項３５に記載の医療システム。
【請求項３８】
第２構造は患者テーブルのレールを有することを特徴とする請求項３５に記載の医療システム。
【請求項３９】
第１構造への着脱自在の装着のために適合可能な第１取付具であって、第１構造に対して装着された際に、第１構造の取付レセプタクルを形成する第１取付具と、
第２構造への着脱自在の装着のために適合可能な第２取付具であって、第２構造に対して装着された際に、第２構造の取付レセプタクルを形成する第２取付具と、
を更に有することを特徴とする請求項２９に記載の医療システム。
【請求項４０】
医療装置を搬送するためのカートを更に有し、カートは、医療装置を支持するべく第１構造を含むことを特徴とする請求項２９に記載の医療システム。